(57)【特許請求の範囲】
【請求項１】
蒸気発生器の給水入口管台内側に配設された給水内管のサーマルスリーブと当該サーマルスリーブと接続された給水内管の一部とを分離する手順と、
給水内管から給水内管の一部を取り除く手順と、
給水入口管台からサーマルスリーブを取り除く手順と、
蒸気発生器内側から新たなサーマルスリーブを取り付ける手順と、
給水内管から給水内管の一部を取り除く手順において取り除いた当該給水内管の一部を蒸気発生器内側から給水内管に取り付ける手順と、
を含むことを特徴とするサーマルスリーブ補修方法。 
【請求項２】
給水内管から給水内管の一部を取り除く手順において取り除く当該給水内管の一部は、サーマルスリーブと接続された給水内管のＴ継手と、Ｔ継手と接続されたレジューサとを含むことを特徴とする請求項１に記載のサーマルスリーブ補修方法。
【請求項３】
蒸気発生器内側から新たなサーマルスリーブを取り付ける前に、新たなサーマルスリーブを分割する手順を含むことを特徴とする請求項２に記載のサーマルスリーブ補修方法。
【請求項４】
新たなサーマルスリーブは、分割した後に、蒸気発生器に配設された二次側マンホールを通して蒸気発生器内に搬入される手順を含むことを特徴とする請求項３に記載のサーマルスリーブ補修方法。
【請求項５】
新たなサーマルスリーブは、分割した後に、蒸気発生器の主給水管を切断した後の開口部を通して給水入口管台内側に取り付ける手順を含むことを特徴とする請求項３に記載のサーマルスリーブ補修方法。
【請求項６】
新たなサーマルスリーブは、蒸気発生器の給水入口管台を切断してできた開口部を通して給水入口管台内側に取り付ける手順を含むことを特徴とする請求項２に記載のサーマルスリーブ補修方法。
【発明の詳細な説明】
【技術分野】
【０００１】
本発明は、蒸気発生器給水内管のサーマルスリーブ補修方法に関するものである。
【背景技術】
【０００２】
蒸気発生器給水内管の補修方法としては、様々な手法がある。例えば、原子炉圧力容器の給水ノズルでは、サーマルスリーブを一体化させた新しいセーフエンドを現地で直接溶接する手法がとられている。
【０００３】
特許文献１には、異なる材料を溶接した場合において、熱影響部による割れを予防するための方法として、原子炉圧力容器の給水ノズルのセーフエンド部の交換方法に関するものが記載されている。特許文献１に記載された方法では、新しいセーフエンドのサーマルスリーブ取り付け部に炭素鋼製の新しいサーマルスリーブを溶接した後に、溶接部を溶接後熱処理するので、溶接部との溶接後熱処理を同時に行うことが可能となり、溶接後に熱処理を一度で済ませることができる。
【先行技術文献】
【特許文献】
【０００４】
【特許文献１】特許第３７６７０７７号公報
【発明の概要】
【発明が解決しようとする課題】
【０００５】
蒸気発生器では、給水入口管台と給水内管との接合部において、形状不連続部を有するサーマルスリーブ構造となるものがある。蒸気発生器給水内管のサーマルスリーブの材質が炭素鋼等である場合には、給水内管のサーマルスリーブ構造が形状不連続部を有するために、エロージョン・コロージョンにより給水内管のサーマルスリーブが減肉してしまう恐れがある。そのために、蒸気発生器給水内管のサーマルスリーブに減肉が発生した場合の補修工法を確立する必要がある。
【０００６】
本発明は、上記に鑑みてなされたものであって、蒸気発生器の給水入口管台が有するサーマルスリーブを容易に補修することが可能なサーマルスリーブ補修方法を提供することを目的とする。
【課題を解決するための手段】
【０００７】
上述した課題を解決し、目的を達成するために、本発明に係るサーマルスリーブ補修方法は、蒸気発生器の給水入口管台内側に配設された給水内管のサーマルスリーブと当該サーマルスリーブと接続された給水内管の一部とを分離する手順と、給水内管から給水内管の一部を取り除く手順と、給水入口管台からサーマルスリーブを取り除く手順と、蒸気発生器内側から新たなサーマルスリーブを取り付ける手順と、蒸気発生器内側から先に取り外した給水内管の一部を取り付ける手順と、を含むことを特徴とする。
【０００８】
上記構成により、本発明に係るサーマルスリーブ補修方法は、サーマルスリーブと接続された給水内管の一部を取り除くのみで、蒸気発生器内に配設されたサーマルスリーブを容易に交換することができる。
【０００９】
本発明の好ましい態様としては、先に取り外す給水内管の一部は、サーマルスリーブと接続された給水内管のＴ継手と、Ｔ継手と接続されたレジューサとを含むことが望ましい。
【００１０】
上記構成により、本発明に係るサーマルスリーブ補修方法は、サーマルスリーブが取り付けられる給水内管の各部分を取り除くよりも、給水内管の一部を取り除く方が作業工程を簡略化することができる。
【００１１】
本発明の好ましい態様としては、蒸気発生器内側から新たなサーマルスリーブを取り付ける前に、新たなサーマルスリーブを分割する手順を含むことが望ましい。
【００１２】
上記構成により、本発明に係るサーマルスリーブ補修方法は、新たなサーマルスリーブを蒸気発生器内に搬送する前に新たなサーマルスリーブを分割することで、蒸気発生器内に新たなサーマルスリーブを搬送し易くできる。
【００１３】
本発明の好ましい態様としては、新たなサーマルスリーブは、分割した後に、蒸気発生器に配設された二次側マンホールを通して蒸気発生器内に搬入される手順を含むことが望ましい。
【００１４】
上記構成により、本発明に係るサーマルスリーブ補修方法は、新たなサーマルスリーブを蒸気発生器内に搬送する際に、蒸気発生器内部品を切除せずとも容易に新たなサーマルスリーブを蒸気発生器内に搬送することができる。
【００１５】
本発明の好ましい態様としては、新たなサーマルスリーブは、分割した後に、蒸気発生器の主給水管を切断した後の開口部を通して給水入口管台内側に取り付ける手順を含むことが望ましい。
【００１６】
上記構成により、本発明に係るサーマルスリーブ補修方法は、給水入口管台から新たなサーマルスリーブを容易に取り付けることができる。また、給水入口管台から新たなサーマルスリーブを取り付けることで、サーマルスリーブを交換する作業工程を短縮することができる。
【００１７】
本発明の好ましい態様としては、新たなサーマルスリーブは、蒸気発生器の給水入口管台を切断してできた開口部を通して給水入口管台内側に取り付ける手順を含むことが望ましい。
【００１８】
上記構成により、本発明に係るサーマルスリーブ補修方法は、給水入口管台に取り付ける新たなサーマルスリーブを分割しなくとも、給水入口管台の切断開口部を通して直接新たなサーマルスリーブを取り付けることができる。そのため、新たなサーマルスリーブを分割する作業工程を省くことができる。
【発明の効果】
【００１９】
本発明は、蒸気発生器内の給水入口管台内側で損傷したサーマルスリーブを容易に補修することができるという効果を奏する。
【図面の簡単な説明】
【００２０】
【図１】図１は、実施形態１の蒸気発生器の全体を模式的に示す説明図である。
【図２】図２は、実施形態１の給水内管廻りの全体を模式的に示す説明図である。
【図３】図３は、実施形態１の給水入口管台内側を模式的に示す説明図である。
【図４】図４は、実施形態１のサーマルスリーブ補修方法のフロー図である。
【図５】図５は、実施形態１の給水内管の一部とサーマルスリーブとを切断した様子を模式的に示す説明図である。
【図６】図６は、実施形態１の給水内管の一部を取り除いた様子を示す説明図である。
【図７】図７は、実施形態１のサーマルスリーブを取り除いた様子を示す説明図である。
【図８】図８は、実施形態１の新たなサーマルスリーブを取り付ける様子を示す説明図である。
【図９】図９は、実施形態１の給水内管の一部を取り付ける様子を示す説明図である。
【図１０】図１０は、実施形態２のサーマルスリーブ補修方法のフロー図である。
【図１１】図１１は、実施形態２の主給水管を切断した様子を模式的に示す説明図である。
【図１２】図１２は、実施形態２の給水内管の一部とサーマルスリーブを切断した様子を模式的に示す説明図である。
【図１３】図１３は、実施形態２の給水内管の一部を取り除いた様子を示す説明図である。
【図１４】図１４は、実施形態２のサーマルスリーブを取り除いた様子を示す説明図である。
【図１５】図１５は、実施形態２の新たなサーマルスリーブを給水入口管台から搬入した様子を模式的に示す説明図である。
【図１６】図１６は、実施形態２の新たなサーマルスリーブを給水入口管台内側に取り付けた様子を模式的に示す説明図である。
【図１７】図１７は、実施形態２の給水内管の一部を取り付けた様子を示す説明図である。
【図１８】図１８は、実施形態２の主給水管を取り付けた様子を模式的に示す説明図である。
【図１９】図１９は、実施形態３のサーマルスリーブ補修方法のフロー図である。
【図２０】図２０は、実施形態３の主給水管を切断した様子を模式的に示す説明図である。
【図２１】図２１は、実施形態３の給水入口管台を切断した様子を模式的に示す説明図である。
【図２２】図２２は、実施形態３の給水内管の一部とサーマルスリーブを切断した様子を模式的に示す説明図である。
【図２３】図２３は、実施形態３の給水内管の一部を取り除いた様子を示す説明図である。
【図２４】図２４は、実施形態３のサーマルスリーブを取り除いた様子を示す説明図である。
【図２５】図２５は、実施形態３の新たなサーマルスリーブを給水入口管台から搬入した様子を模式的に示す説明図である。
【図２６】図２６は、実施形態３の新たなサーマルスリーブを給水入口管台内側に取り付けた様子を模式的に示す説明図である。
【図２７】図２７は、実施形態３の給水内管の一部を取り付けた様子を模式的に示す説明図である。
【図２８】図２８は、実施形態３の新たな給水入口管台を取り付けた様子を模式的に示す説明図である。
【図２９】図２９は、実施形態３の主給水管を取り付けた様子を模式的に示す説明図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。
【００２２】
（実施形態１）
図１は、実施形態１の蒸気発生器の全体を模式的に示す説明図である。以下に実施形態１の蒸気発生器１について説明する。蒸気発生器１は、胴部２と、管群外筒３と、伝熱管４と、給水内管５と、管板６と、気水分離器７と、湿分分離器８と、蒸気出口管台９と、一次冷却材入口管台９ａと、一次冷却材出口管台９ｂと、を含む。
【００２３】
蒸気発生器１は、例えば、加圧水型原子炉で用いられる。蒸気発生器１は、上下方向に延在され、かつ密閉された中空円筒形状を成している。胴部２は、蒸気発生器１の外殻部材である。管群外筒３の下半部は管板６との間に隙間を空けて配設されている。伝熱管４は、管群外筒３内に配設される伝熱管群の一部である。
【００２４】
給水内管５は、蒸気発生器１の外部から胴部２内に二次冷却水の給水を行うものである。給水内管５は、気水分離器７と管群外筒３との間に設けられている。管板６は、伝熱管４の端部を支持するものである。
【００２５】
気水分離器７は、水蒸気を蒸気と熱水とに分離するものである。また、湿分分離器８は、気水分離器７で分離された蒸気の湿分を除去して乾き蒸気に近い状態とするものである。気水分離器７と、湿度分離器８は、ともに、胴部２の上半部に設けられている。蒸気出口管台９には、タービンに蒸気を送る主蒸気管が連結されている。
【００２６】
一次冷却材入口管台９ａには、例えば、加圧水型原子炉から一次冷却水が送られる冷却水配管が連結されている。また、一次冷却材出口管台９ｂには、例えば、蒸気発生器１内で熱交換された後の一次冷却水を加圧水型原子炉に送る冷却水配管が連結されている。
【００２７】
図２は、実施形態１の給水内管廻りの全体を模式的に示す説明図である。胴部２は、給水入口管台１６を有している。給水入口管台１６は、胴部２の径方向外側に向けて突出する突出部３７ａを有している。
【００２８】
図３は、実施形態１の給水入口管台内側を模式的に示す説明図である。以下に実施形態１の給水内管５について説明する。実施形態１の給水内管５は、給水入口管台１６と、給水内管の一部１０と、主給水管１１と、サーマルスリーブ１５と、を含む。
【００２９】
給水入口管台１６は、蒸気発生器１内に二次冷却水を導入する入り口である。また、給水入口管台１６は、サーマルスリーブ１５と主給水管１１とを繋ぐ箇所でもある。サーマルスリーブ１５は、給水入口管台１６に差し込まれている。主給水管１１は、給水入口管台１６から蒸気発生器１内に二次冷却水を搬送する管である。
【００３０】
給水内管の一部１０は、レジューサ１２と、Ｊチューブ１３と、給水内管Ｔ継手１４と、を含む。レジューサ１２は、給水内管５と給水内管Ｔ継手１４を繋ぐものである。Ｊチューブ１３は、給水内管５を通る二次冷却水を蒸気発生器１内に流出される流出管である。また、給水内管５内に蒸気が流入することを抑制することができる。
【００３１】
給水内管Ｔ継手１４は、レジューサ１２と、サーマルスリーブ１５とを繋ぐものである。サーマルスリーブ１５は、給水入口管台１６に配設されており、主給水管１１と給水管Ｔ継手１４とを繋ぐものである。
【００３２】
図４は、実施形態１のサーマルスリーブ補修方法のフロー図である。また、図５は、実施形態１の給水内管の一部とサーマルスリーブとを切断した様子を模式的に示す説明図である。本実施形態のサーマルスリーブ補修方法を実行する場合、ステップＳ１０１において、蒸気発生器１の給水内管の一部１０と、サーマルスリーブ１５との分離を行う。
【００３３】
給水内管５を分離する箇所は、例えば、給水内管５のサーマルスリーブ１５と、サーマルスリーブ１５と接続する給水内管Ｔ継手１４との境である。給水内管５を分離する箇所は、実施形態１の箇所に限定されるものではない。
【００３４】
図６は、実施形態１の給水内管の一部を取り除いた様子を示す説明図である。ステップＳ１０２において、蒸気発生器１の給水内管５から給水内管の一部１０を取り除く。ステップＳ１０２では、給水内管の一部１０であるＪチューブ１３のみではなく、サーマルスリーブ１５に配設されるＪチューブ１３も取り除く。また、給水内管の一部１０であるレジューサ１２と、Ｊチューブ１３と、給水内管Ｔ継手１４と、をまとめて蒸気発生器１の給水内管５から取り除くことができるので、蒸気発生器１での不要な作業を削減することができる。
【００３５】
図７は、実施形態１のサーマルスリーブを取り除いた様子を示す説明図である。ステップＳ１０３において、蒸気発生器１の給水入口管台１６からサーマルスリーブ１５を取り除く。ステップＳ１０２において、給水内管の一部１０を蒸気発生器１の給水内管５から取り除いているため、容易にサーマルスリーブ１５を蒸気発生器１の給水入口管台１６から取り除くことができる。
【００３６】
図８は、実施形態１の新たなサーマルスリーブを取り付ける様子を示す説明図である。実施形態１では、例えば、蒸気発生器１内から給水入口管台１６に新たなサーマルスリーブ１５ａを取り付けるために、蒸気発生器１に配設された二次側マンホール１７から新たなサーマルスリーブ１５ａを搬送する。また、蒸気発生器１内から新たなサーマルスリーブ１５ａへの搬送方法は、実施形態１に係る方法、すなわち、二次側マンホール１７から搬送する方法に限定されるものではない。
【００３７】
実施形態１では、蒸気発生器１に配設された二次側マンホール１７から新たなサーマルスリーブ１５ａを搬送する前に、新たなサーマルスリーブ１５ａを分割する。例えば、新たなサーマルスリーブ１５ａを、その長手方向の中心軸を分割の中心として３分割する。すなわち、円筒形状の新たなサーマルスリーブ１５ａを、その周方向に向かって３分割する。新たなサーマルスリーブ１５ａを分割することで、蒸気発生器１に配設された二次側マンホール１７に新たなサーマルスリーブ１５ａを搬送し易くなる。尚、新たなサーマルスリーブ１５ａの分割数は、３に限定されるものではない。
【００３８】
分割された新たなサーマルスリーブ１５ａは、蒸気発生器１に配設された二次側マンホール１７に搬送後、蒸気発生器１内で溶接等によって接合されて、円筒形状の部材として組み立てられる。その後、ステップＳ１０４に進み、蒸気発生器１内から新たなサーマルスリーブ１５ａを給水入口管台１６に取り付ける。蒸気発生器１内から給水入口管台１６に新たなサーマルスリーブ１５ａを取り付ける際に、ステップＳ１０２で取り除いたサーマルスリーブ１５に配設されるＪチューブ１３も新たなサーマルスリーブ１５ａに取り付ける。
【００３９】
図９は、実施形態１の給水内管の一部を取り付ける様子を示す説明図である。ステップＳ１０５において、給水内管５内に給水内管の一部１０を取り付ける。給水内管５内に取り付けた給水内管の一部１０は、ステップＳ１０２で取り除いた蒸気発生器１の給水内管の一部１０である。
【００４０】
初めに、給水内管Ｔ継手１４は、蒸気発生器１内に取り付けた新たなサーマルスリーブ１５ａに取り付けられる。その後、レジューサ１２は、給水内管Ｔ継手１４に取り付けられる。また、Ｊチューブ１３は、給水内管Ｔ継手１４を蒸気発生器１内に取り付けた新たなサーマルスリーブ１５ａに取り付けられた後に、又はレジューサ１２を給水内管Ｔ継手１４に取り付けられた後に、給水内管Ｔ継手１４に取り付けられる。
【００４１】
尚、給水内管の一部１０である給水内管Ｔ継手１４と、レジューサ１２と、Ｊチューブ１３とを蒸気発生器１内に取り付ける順番は、実施形態１に記載した順番限定されるものではない。例えば、給水内管の一部１０である給水内管Ｔ継手１４と、レジューサ１２と、Ｊチューブとを蒸気発生器１内で溶接しておき、蒸気発生器１内の給水入口管台１６に取り付けた新たなサーマルスリーブ１５ａに取り付けても良い。
【００４２】
以上、本実施形態に係るサーマルスリーブ補修方法は、サーマルスリーブが接続された給水内管の一部を取り除くのみで、蒸気発生器内に配設されたサーマルスリーブを容易に交換することができる。
【００４３】
（実施形態２）
図１０は、実施形態２のサーマルスリーブ補修方法のフロー図である。実施形態２の蒸気発生器１は、実施形態１と同様であり、給水入口管台２６と、給水内管の一部２０と、主給水管２１と、サーマルスリーブ２５と、を含む。
【００４４】
図１１は、実施形態２の主給水管を切断した様子を模式的に示す説明図である。本実施形態に係るサーマルスリーブ補修方法を実行するにあたり、ステップＳ２０１において、初めに、蒸気発生器１の主給水管２１を切断する。例えば、蒸気発生器１の給水入口管台２６と主給水管２１との繋ぎ目で切断する。尚、蒸気発生器１の主給水管２１の切断箇所は、実施形態２での箇所に限定されるものではない。
【００４５】
図１２は、実施形態２の給水内管の一部とサーマルスリーブを切断した様子を模式的に示す説明図である。実施形態１と同様に、ステップＳ２０２において、蒸気発生器１の給水内管の一部２０と、サーマルスリーブ２５とを分離する。給水内管５を分離する箇所は、例えば、給水内管のサーマルスリーブ２５と、サーマルスリーブ２５と接触する給水内管Ｔ継手２４との境である。また、給水内管５を分離する箇所は、上述した箇所に限定されるものではない。
【００４６】
図１３は、実施形態２の給水内管の一部を取り除いた様子を示す説明図である。実施形態１と同様に、ステップＳ２０３において、蒸気発生器１の給水内管５から給水内管の一部２０を取り除く。ステップＳ２０３では、給水内管の一部２０であるＪチューブ２３のみではなく、サーマルスリーブ２５に配設されるＪチューブ２３も取り除く。
【００４７】
図１４は、実施形態２のサーマルスリーブを取り除いた様子を示す説明図である。実施形態１と同様に、ステップＳ２０４において、蒸気発生器１の給水入口管台２６からサーマルスリーブ２５を取り除く。
【００４８】
図１５は、実施形態２の新たなサーマルスリーブを給水入口管台から搬入した様子を模式的に示す説明図である。実施形態２では、例えば、給水入口管台２６から蒸気発生器１内に新たなサーマルスリーブ２５ａを取り付ける。実施形態２では、実施形態１と同様に、新たなサーマルスリーブ２５ａを分割する。例えば、新たなサーマルスリーブ２５ａを新たなサーマルスリーブ２５ａの長手方向の中心軸を中心として３分割する。その後、蒸気発生器１の給水入口管台２６から蒸気発生器１内に新たなサーマルスリーブ２５ａを搬送する。
【００４９】
図１６は、実施形態２の新たなサーマルスリーブを給水入口管台内側に取り付けた様子を模式的に示す説明図である。本実施形態に係るサーマルスリーブ補修方法は、ステップＳ２０５において、蒸気発生器１内から新たなサーマルスリーブ２５ａを給水入口管台２６に取り付ける。実施形態２では、実施形態１と同様に、新たなサーマルスリーブ２５ａを給水入口管台２６に取り付ける前に、分割して蒸気発生器１内に搬送した新たなサーマルスリーブ２５ａが、蒸気発生器１内で溶接される。
【００５０】
図１７は、実施形態２の給水内管の一部を取り付けた様子を示す説明図である。ステップＳ２０６では、蒸気発生器１内に給水内管の一部２０を取り付ける。蒸気発生器１に取り付けた給水内管の一部２０は、ステップＳ２０６で取り除いた蒸気発生器１の給水内管の一部２０である。
【００５１】
図１８は、実施形態２の主給水管を取り付けた様子を模式的に示す説明図である。ステップＳ２０７のように、ステップＳ２０１で切断した蒸気発生器１の主給水管２１の溶接を行う。例えば、蒸気発生器１の給水入口管台２６と主給水管２１との繋ぎ目で溶接する。尚、蒸気発生器１の主給水管２１の溶接箇所は、上述した箇所に限定されるものではない。
【００５２】
以上、本実施形態に係るサーマルスリーブ補修方法は、サーマルスリーブが接続された給水内管の一部を取り除くのみで、蒸気発生器内に配設されたサーマルスリーブを容易に交換することができる。
【００５３】
（実施形態３）
図１９は、実施形態３のサーマルスリーブ補修方法のフロー図である。実施形態２と同様に、実施形態３の蒸気発生器１は、給水入口管台３６と、給水内管の一部３０と、主給水管３１と、サーマルスリーブ３５と、を含む。
【００５４】
図２０は、実施形態３の主給水管を切断した様子を模式的に示す説明図である。実施形態２と同様に、ステップＳ３０１において、初めに、蒸気発生器１の主給水管３１を切断する。例えば、蒸気発生器１の給水入口管台３６と主給水管３１との繋ぎ目で切断する。尚、蒸気発生器１の主給水管３１の切断箇所は、上述した箇所に限定されるものではない。
【００５５】
図２１は、実施形態３の給水入口管台を切断した様子を模式的に示す説明図である。ステップＳ３０２において、サーマルスリーブ３５を蒸気発生器１内に搬送するために、蒸気発生器１内の給水入口管台３６の切断を行う。
【００５６】
実施形態３では、例えば、給水入口管台３６を切断部３７の位置で切断する。切断部３７は、給水入口管台３６の突出部３７ａよりも、給水内管５側の位置にあると好ましい。新たなサーマルスリーブ３５ａは、給水入口管台３６の突出部３７ａが形成された位置に差し込まれているため、突出部３７ａよりも、給水内管５側の位置で給水入口管台３６を切断する。
【００５７】
図２２は、実施形態３の給水内管の一部とサーマルスリーブを切断した様子を模式的に示す説明図である。実施形態１、実施形態２と同様に、ステップＳ３０３において、給水内管の一部３０とサーマルスリーブ３５との切断をする。
【００５８】
図２３は、実施形態３の給水内管の一部を取り除いた様子を示す説明図である。実施形態１、実施形態２と同様に、ステップＳ３０４において、給水内管５から給水内管の一部３０を取り除く。ステップＳ３０５では、給水内管の一部３０であるＪチューブ３３のみではなく、サーマルスリーブ３５に配設されるＪチューブ３３をも取り除く。
【００５９】
図２４は、実施形態３のサーマルスリーブを取り除いた様子を示す説明図である。実施形態１、実施形態２と同様に、ステップＳ３０５において、給水入口管台３６からサーマルスリーブ３５を取り除く。この場合、蒸気発生器１の内部にサーマルスリーブ３５を取り除いてもよいし、蒸気発生器１の外部にサーマルスリーブ３５を取り除いてもよい。後者のようにすると、蒸気発生器１の内部からサーマルスリーブ３５を取り出す作業が不要になるので、より好ましい。
【００６０】
図２５は、実施形態３の新たなサーマルスリーブを給水入口管台から搬入した様子を模式的に示す説明図である。ステップＳ３０６において、蒸気発生器１の給水入口管台３６から新たなサーマルスリーブ３５ａを搬送する。実施形態３では、新たなサーマルスリーブ３５ａを分割せずに、給水入口管台３６から蒸気発生器１内に向かって差し込むことにより、給水入口管台３６に新たなサーマルスリーブ３５ａを取り付ける。
【００６１】
すなわち、本実施形態に係るサーマルスリーブ補修方法は、給水入口管台３６が給水入口管台６の突出部３７ａよりも給水内管５側の位置で切断されているため、新たなサーマルスリーブ３５ａを分割せずに、給水入口管台３６へ取り付ける。このため、新たなサーマルスリーブ３５ａを分割する手順を省くことが可能となり、作業を短縮することができる。
【００６２】
図２６は、実施形態３の新たなサーマルスリーブを給水入口管台内側に取り付けた様子を模式的に示す説明図である。
【００６３】
図２７は、実施形態３の給水内管の一部を取り付けた様子を模式的に示す説明図である。実施形態１、実施形態２と同様に、蒸気発生器１内から給水内管の一部３０を取り付ける。
【００６４】
図２８は、実施形態３の新たな給水入口管台を取り付けた様子を模式的に示す説明図である。ステップＳ３０８において、ステップＳ３０２で切断した給水入口管台３６の溶接を行う。
【００６５】
図２９は、実施形態３の主給水管を取り付けた様子を模式的に示す説明図である。実施形態２と同様に、ステップＳ３０９において、ステップＳ３０１で切断した蒸気発生器１の主給水管３１の溶接を行う。例えば、蒸気発生器１の給水入口管台３６と主給水管３１との繋ぎ目で溶接を行う。尚、蒸気発生器１の主給水管３１の溶接箇所は、この部分に限定されるものではない。
【００６６】
以上、本実施形態に係るサーマルスリーブ補修方法は、給水入口管台に取り付ける新たなサーマルスリーブを分割しなくとも、給水入口管台から直接新たなサーマルスリーブを取り付けることができる。そのため、新たなサーマルスリーブを分割する作業工程を省くことができる。
【符号の説明】
【００６７】
１  蒸気発生器
２  胴部
３  管群外筒
４  伝熱管
５  給水内管
６  管板
７  気水分離器
８  湿分分離器
９  蒸気出口管台
９ａ  一次冷却材入口管台
９ｂ  一次冷却材出口管台
１０、２０、３０  給水内管の一部
１１、２１、３１  主給水管
１２、２２、３２  レジューサ
１３、２３、３３  Ｊチューブ
１４、２４、３４  給水内管Ｔ継手
１５、２５、３５  サーマルスリーブ
１５ａ、２５ａ、３５ａ  新たなサーマルスリーブ
１６、２６、３６  給水入口管台
１７  二次側マンホール
３７  切断部
３７ａ  突出部
【図１】
0005859344.tif 000002
【図２】
0005859344.tif 000003
【図３】
0005859344.tif 000004
【図４】
0005859344.tif 000005
【図５】
0005859344.tif 000006
【図６】
0005859344.tif 000007
【図７】
0005859344.tif 000008
【図８】
0005859344.tif 000009
【図９】
0005859344.tif 000010
【図１０】
0005859344.tif 000011
【図１１】
0005859344.tif 000012
【図１２】
0005859344.tif 000013
【図１３】
0005859344.tif 000014
【図１４】
0005859344.tif 000015
【図１５】
0005859344.tif 000016
【図１６】
0005859344.tif 000017
【図１７】
0005859344.tif 000018
【図１８】
0005859344.tif 000019
【図１９】
0005859344.tif 000020
【図２０】
0005859344.tif 000021
【図２１】
0005859344.tif 000022
【図２２】
0005859344.tif 000023
【図２３】
0005859344.tif 000024
【図２４】
0005859344.tif 000025
【図２５】
0005859344.tif 000026
【図２６】
0005859344.tif 000027
【図２７】
0005859344.tif 000028
【図２８】
0005859344.tif 000029
【図２９】
0005859344.tif 000030